(57)【要約】【課題】伝送帯域の狭い既設のＣＡＴＶシステムを，同軸ケーブルを取替えることなくより広帯域な伝送帯域に対応する。【解決手段】引込線によって引込まれた下り帯域信号としての第１の周波数帯の信号を端末側に伝送するように構成されたＣＡＴＶシステムにおいて，前記第１の周波数帯の信号に変わって，前記第１の周波数帯を含み，少なくとも該第１の周波数帯の最大周波数より高い周波数を有する第２の周波数帯の信号を伝送した時に，伝送経路における伝送損失を補償するための前記第２の周波数帯の信号を所定量だけ増幅する第１信号増幅器を伝送経路の所定位置に介設するのに加え，前記伝送経路を前記第２の周波数帯の信号が通過することによって発生する信号レベル差を補償するための第１信号処理手段を伝送経路の所定位置に介設して，前記第２の周波数帯における端末側の信号レベルが何れの系統の伝送経路においても所定値レベル以上となるようする。【選択図】図１０
2008219841.tif 000002
【特許請求の範囲】
【請求項１】
ＣＡＴＶ網からタップオフを介して引き込まれた引込線に接続されるＣＡＴＶシステムであって，少なくとも，引込線によって引込まれた下り帯域信号としての第１の周波数帯の信号を分配若しくは分岐して複数の系統の伝送経路で端末側に伝送するように構成されたＣＡＴＶシステムにおいて，
該ＣＡＴＶシステムに伝送する下り帯域信号として，前記第１の周波数帯の信号に変わって，前記第１の周波数帯を含み，少なくとも該第１の周波数帯の最大周波数より高い周波数を有する第２の周波数帯の信号を伝送した時に，
各系統の伝送経路における伝送損失を補償するための前記第２の周波数帯の信号を所定量だけ増幅する第１信号増幅器を伝送経路の所定位置に介設するのに加え，前記伝送経路を前記第２の周波数帯の信号が通過することによって発生する信号レベル差を補償するための第１信号処理手段を前記信号増幅器の入力側および出力側の両方若しくはいずれか一方における伝送経路の所定位置に介設することによって，前記第２の周波数帯における端末側の信号レベルが何れの系統の伝送経路においても所定値レベル以上となるように構成したことを特徴としたＣＡＴＶシステム。
【請求項２】
ＣＡＴＶ網からタップオフを介して引き込まれた引込線に接続されるＣＡＴＶシステムであって，少なくとも，引込線によって引込まれた下り帯域信号としての第１の周波数帯の信号を分配若しくは分岐して複数の系統の伝送経路で端末側に伝送するように構成されたＣＡＴＶシステムにおいて，
該ＣＡＴＶシステムに伝送する下り帯域信号として，前記第１の周波数帯の信号に変わって，前記第１の周波数帯を含み，少なくとも該第１の周波数帯の最大周波数より高い周波数を有する第２の周波数帯の信号を伝送した時に，
前記複数の系統の伝送経路のうち，伝送損失が所定値より大きい伝送経路があれば，該伝送経路の内における所定長の伝送経路を介して，所定長の伝送経路の前方側には第２の周波数帯の信号を所定量だけ増幅する第１信号増幅器と該第１信号増幅器の入力側および出力側の両方若しくはいずれか一方における所定位置に第１信号処理手段を介設し，所定長の伝送経路の後方側には第２の周波数帯の信号を所定量だけ増幅する第２信号増幅器と該第２信号増幅器の入力側および出力側の両方若しくはいずれか一方における所定位置に第２信号処理手段を介設し，
前記複数の系統の伝送経路のうち，伝送損失が所定値より小さい伝送経路があれば，前記第１信号増幅器と前記第１信号処理手段を介設し，
前記第１信号処理手段は，前記所定長の伝送経路を前記第２の周波数帯の信号が通過することによって発生する信号レベル差を補償すると共に，前記第２信号増幅回路に過大入力が入力されるのを阻止するように構成し，
前記第２信号処理手段は，前記所定長の伝送経路より端末側の伝送経路を前記第２の周波数帯の信号が通過することによって発生する信号レベル差を補償するように構成することによって，前記第２の周波数帯における端末側の信号レベルが何れの系統の伝送経路においても前記所定値レベル以上となるように構成したことを特徴としたＣＡＴＶシステム。
【請求項３】
該ＣＡＴＶシステムに伝送する下り帯域信号として，前記第１の周波数帯の信号に変わって，前記第１の周波数帯を含み，少なくとも該第１の周波数帯の最大周波数より高い周波数を有する第２の周波数帯の信号を伝送した時に，
前記複数の系統の伝送経路のうち，伝送損失が所定値より大きい伝送経路があれば，該伝送経路の内における所定長の伝送経路を介して，所定長の伝送経路の前方側には第２の周波数帯の信号が前記伝送経路を通過することによって伝送損失の値が最大減衰量を示す周波数における端末側の信号レベルと前記所定値レベルとの差の略１／２だけ信号を増幅する第１信号増幅器と該第１信号増幅器の出力側における所定位置に第１信号処理手段を介設し，所定長の伝送経路の後方側には第２の周波数帯の信号が前記伝送経路を通過することによって伝送損失の値が最大減衰量を示す周波数における端末側の信号レベルと前記所定値レベルとの差の略１／２だけ信号を増幅する第２信号増幅器と該第２信号増幅器の出力側における所定位置に第２信号処理手段を介設し，
前記複数の系統の伝送経路のうち，伝送損失が所定値より小さい伝送経路があれば，前記第１信号増幅器と前記第１信号処理手段を介設し，
前記第１信号処理手段は，前記所定長の伝送経路を前記第２の周波数帯の信号が通過することによって発生する信号レベル差を補償すると共に，前記第２信号増幅回路に過大入力が入力されるのを阻止するように構成し，
前記第２信号処理手段は，前記所定長の伝送経路より端末側の伝送経路を前記第２の周波数帯の信号が通過することによって発生する信号レベル差を補償するように構成することによって，前記第２の周波数帯における端末側の信号レベルが何れの系統の伝送経路においても前記所定値レベル以上となるように構成した，ことを特徴とした請求項２に記載のＣＡＴＶシステム。
【請求項４】
ＣＡＴＶ網からタップオフを介して引き込まれた引込線に接続されるＣＡＴＶシステムであって，少なくとも，引込線によって引込まれた下り帯域信号としての第１の周波数帯の信号を分配若しくは分岐して複数の系統の伝送経路で端末側に伝送するように構成されたＣＡＴＶシステムの配線方法において，
該ＣＡＴＶシステムに伝送する下り帯域信号として，前記第１の周波数帯の信号に変わって，前記第１の周波数帯を含み，少なくとも該第１の周波数帯の最大周波数より高い周波数を有する第２の周波数帯の信号を伝送した時に，
各系統の伝送経路における伝送損失を補償するための前記第２の周波数帯の信号を所定量だけ増幅する第１信号増幅器を伝送経路の所定位置に介設するのに加え，前記伝送経路を前記第２の周波数帯の信号が通過することによって発生する信号レベル差を補償するための第１信号処理手段を前記信号増幅器の入力側および出力側の両方若しくはいずれか一方における伝送経路の所定位置に介設することによって，前記第２の周波数帯における端末側の信号レベルが何れの系統の伝送経路においても前記所定値レベル以上となるように構成した，ことを特徴としたＣＡＴＶシステムの配線方法。
【請求項５】
ＣＡＴＶ網からタップオフを介して引き込まれた引込線に接続されるＣＡＴＶシステムであって，少なくとも，引込線によって引込まれた下り帯域信号としての第１の周波数帯の信号を分配若しくは分岐して複数の系統の伝送経路で端末側に伝送するように構成されたＣＡＴＶシステムの配線方法において，
該ＣＡＴＶシステムに伝送する下り帯域信号として，前記第１の周波数帯の信号に変わって，前記第１の周波数帯を含み，少なくとも該第１の周波数帯の最大周波数より高い周波数を有する第２の周波数帯の信号を伝送した時に，
前記複数の系統の伝送経路のうち，伝送損失が所定値より大きい伝送経路があれば，該伝送経路の内における所定長の伝送経路を介して，所定長の伝送経路の前方側には第２の周波数帯の信号を所定量だけ増幅する第１信号増幅器と該第１信号増幅器の入力側および出力側の両方若しくはいずれか一方における所定位置に第１信号処理手段を介設し，所定長の伝送経路の後方側には第２の周波数帯の信号を所定量だけ増幅する第２信号増幅器と該第２信号増幅器の入力側および出力側の両方若しくはいずれか一方における所定位置に第２信号処理手段を介設してあり，
前記複数の系統の伝送経路のうち，伝送損失が所定値より小さい伝送経路があれば，前記第１信号増幅器と前記第１信号処理手段を介設してあり，
前記第１信号処理手段は，前記所定長の伝送経路を前記第２の周波数帯の信号が通過することによって発生する信号レベル差を補償すると共に，前記第２信号増幅回路に過大入力が入力されるのを阻止するように構成し，
前記第２信号処理手段は，前記所定長の伝送経路より端末側の伝送経路を前記第２の周波数帯の信号が通過することによって発生する信号レベル差を補償するように構成することによって，前記第２の周波数帯における端末側の信号レベルが何れの系統の伝送経路においても前記所定値レベル以上となるように構成した，ことを特徴としたＣＡＴＶシステムの配線方法。
【請求項６】
該ＣＡＴＶシステムに伝送する下り帯域信号として，前記第１の周波数帯の信号に変わって，前記第１の周波数帯を含み，少なくとも該第１の周波数帯の最大周波数より高い周波数を有する第２の周波数帯の信号を伝送した時に，
前記複数の系統の伝送経路のうち，伝送損失が所定値より大きい伝送経路があれば，該伝送経路の内における所定長の伝送経路を介して，所定長の伝送経路の前方側には第２の周波数帯の信号が前記伝送経路を通過することによって伝送損失の値が最大減衰量を示す周波数における端末側の信号レベルと前記所定値レベルとの差の略１／２だけ信号を増幅する第１信号増幅器と該第１信号増幅器の出力側における所定位置に第１信号処理手段を介設し，所定長の伝送経路の後方側には第２の周波数帯の信号が前記伝送経路を通過することによって伝送損失の値が最大減衰量を示す周波数における端末側の信号レベルと前記所定値レベルとの差の略１／２だけ増幅する第２信号増幅器と該第２信号増幅器の出力側における所定位置に第２信号処理手段を介設し，
前記複数の系統の伝送経路のうち，伝送損失が所定値より小さい伝送経路があれば，前記第１信号増幅器と前記第１信号処理手段を介設し，
前記第１信号処理手段は，前記所定長の伝送経路を前記第２の周波数帯の信号が通過することによって発生する信号レベル差を補償すると共に，前記第２信号増幅回路に過大入力が入力されるのを阻止するように構成し，
前記第２信号処理手段は，前記所定長の伝送経路より端末側の伝送経路を前記第２の周波数帯の信号が通過することによって発生する信号レベル差を補償するように構成することによって，前記第２の周波数帯における端末側の信号レベルが何れの系統の伝送経路においても前記所定値レベル以上となるように構成した，ことを特徴とした請求項５に記載のＣＡＴＶシステムの配線方法。
【請求項７】
前記信号増幅器と前記信号処理手段を同一の筐体に収納したことを特徴とした請求項１から請求項３の何れか一項に記載のＣＡＴＶシステム及び請求項４から請求項６の何れか一項に記載のＣＡＴＶシステムの配線方法に用いるためのＣＡＴＶ機器。
【請求項８】
前記信号増幅器と前記信号処理手段と，前記信号増幅器において所定量増幅され前記信号処理手段において所定の信号処理された信号を所定数に分配する信号分配器を同一の筐体に収納したことを特徴とした請求項１から請求項３に記載のいずれか一項に記載のＣＡＴＶシステム及び請求項４または請求項５の何れか一項に記載のＣＡＴＶシステムの配線方法に用いるためのＣＡＴＶ機器。
【請求項９】
前記信号処理手段は前記第２の周波数帯の高域側における信号レベルと前記第２の周波数帯の低域側における信号レベルとの差を補償するように構成されたチルト回路からなることを特徴とした請求項１から請求項３に記載のいずれか一項に記載のＣＡＴＶシステム及び請求項４からは請求項６に記載のいずれか一項に記載のＣＡＴＶシステムの配線方法及び請求項７または請求項８の何れか一項に記載のＣＡＴＶ機器。
【発明の詳細な説明】
【技術分野】
【０００１】  本発明は，主にＣＡＴＶ網からタップオフを介して引込まれた引込線に接続されるＣＡＴＶシステムおよびＣＡＴＶ装置に関する。
【背景技術】
【０００２】  ＣＡＴＶ網はそのサービス形態に合わせて伝送帯域を拡大してきた。しかしながらＣＡＴＶ網の中には，その伝送帯域が例えば２５０ＭＨｚ帯，３００ＭＨｚ帯，４５０ＭＨｚ帯対応など，伝送帯域の異なる各種システムが現在も多数運用されている。このようなシステムの場合，例えばＵＨＦ帯（４７０から７７０ＭＨｚのテレビ信号の周波数帯であり，以下，特に明記しない限りＵＨＦ帯とはこの周波数帯のことを言う。）を使った地上アナログ放送は，ＶＨＦ帯，ミッドバンド帯およびスーパーハイバンド帯等のチャンネルに周波数変換されてから伝送することでサービスを行っていた。【０００３】  ところが，近年開始された地上ディジタル放送は，ＵＨＦ帯の低域側周波数帯を主に使用して放送されるため，ＣＡＴＶ局側では次のような対応で地上ディジタル放送信号を送出することになる。それは，放送局から送られたＵＨＦ帯の地上ディジタル放送波（ＯＦＤＭ）をセンター局にて受信し，該受信した信号を，チャンネルを変えることなくそのまま幹線へ伝送するパススルー方式や，放送局から送られたＵＨＦ帯の地上ディジタル放送波（ＯＦＤＭ）を，ＣＡＴＶで伝送可能なＶＨＦ帯やミッドバンド帯やスーパーハイバンド帯等に周波数変換して伝送する周波数変換パススルー方式や，放送局から送られたＵＨＦ帯の地上ディジタル放送波（ＯＦＤＭ）をセンター局にて受信して，ＢＳディジタル放送の再送信と同じ方式（６４ＱＡＭ）に変換して伝送するトランスモジュレーション方式であり，ＣＡＴＶ網を介して地上ディジタル放送を伝送しようとする場合は，採用する伝送方式に応じてＣＡＴＶ網の伝送帯域を広げる必要が生じる。特に，パススルー方式であれば，市販されている地上ディジタルチューナー，地上ディジタルチューナーを内蔵したテレビや，ＤＶＤを接続すれば地上ディジタル放送が見られるので利便性が良いのであるが，その方式に対応するためには，ＣＡＴＶシステムを少なくともＵＨＦ帯まで伝送するシステムに変更する必要が生じる。【０００４】  つまり，伝送帯域が４５０ＭＨｚ帯までしか対応していないＣＡＴＶ網を，７７０ＭＨｚ帯の伝送帯域を有するシステムに変更するには，ＣＡＴＶ網の幹線や分岐線上に配設される幹線増幅器等の伝送機器を７７０ＭＨｚに対応させると共に，引込線に接続されたビルやマンション等のＣＡＴＶシステムを構築している棟内増幅器，直列ユニットや同軸ケーブルなどのテレビ受信機器も，少なくとも７７０ＭＨｚ若しくはそれ以上の周波数（例えば，衛星放送の中間周波数帯）まで対応した機器に変更することが必要となる。
しかしながら，ビルやマンション等のＣＡＴＶシステムに設置された棟内増幅器や直列ユニット等は，一般的に収納ボックスやメンテナンスルームに設置されている場合が多く簡単に取替えができるが，引回された既設の同軸ケーブルは，天井裏や壁面内部に沿わせて配線するといった同軸ケーブルの敷設の方法から考えて，古いケーブルを取外して新たに同軸ケーブルを配線し直すのは困難であるのでそのまま使えることが望ましい。
ところが，同軸ケーブルは経年変化により物理的にも電気的にも影響を受ける事が分かっており，これらの変化の中でも特に同軸ケーブルの伝送特性に大きく影響するものとして，ＵＨＦ帯内の特定周波数（特に，ＵＨＦ帯の低域側に発生する。）で減衰量が大きく増加するディップ現象があり，その現象は，同軸ケーブルの種類や設置された年代によって発生する場合があることが報告されている。（例えば，非特許文献１参照）【０００５】  また，古いＣＡＴＶシステムでは，もともと７７０ＭＨｚ帯の伝送帯域を必要としなかったために，２５０ＭＨｚ帯，３００ＭＨｚ帯，４５０ＭＨｚ帯等，それぞれの時代におけるサービスに適応するようにシステムが構築されていれば良く，それぞれのシステムに敷設されている機器や同軸ケーブルの規格が７７０ＭＨｚに対応していないことも考えられる。しかしながら，地上アナログ放送のＶＨＦ放送とＵＨＦ放送が行われていることから考えれば，一般的にはシステムに敷設されている機器や同軸ケーブルの規格が７７０ＭＨｚに対応しているはずであるが，実際には上述のようなディップ現象が見受けられなくても，ＵＨＦ帯の高域側での伝送損失が，同軸ケーブルの減衰特性が有する周波数特性から予想される減衰量をはるかに上回る，すこぶる伝送特性の悪いシステムが存在する。このようなＵＨＦ帯の高域側の伝送特性が悪いシステムについて調べてみると，分配器や直列ユニットの伝送特性よりも，同軸ケーブルの伝送特性が大きく影響されることが調査で分かっている。その調査の結果の一例を挙げると，敷設されているケーブルが，同軸ケーブルとはいい難いシールド線のような外部導体である編組（網目状の導体細線）で構成された，高周波伝送には適さないような同軸ケーブルが見受けられた事例がある。【０００６】
【非特許文献１】昭和６０年６月５日付  テレビ受信向上委員会  受信向上Ｎｏ．１４  ｐ１６〜ｐ１８
【発明の開示】
【発明が解決しようとする課題】
【０００７】  つまり，このようなＣＡＴＶシステムを，地上ディジタル放送を伝送する方法の一つである上述のパススルー方式のように，チャンネルを変えることなくそのままの周波数帯で伝送してくるようなＣＡＴＶ網に接続しようとする場合は，ＣＡＴＶシステムの引込線以降に既に設置されている同軸ケーブルに，今まで気付かなかったディップ現象が発生していないかどうか，ディップ現象が発生していなくてもＵＨＦ帯の高域側における損失が，同軸ケーブルの減衰特性が有する周波数特性から子想されるような値を示すかどうかを確認する必要が生じ，ディップ現象が確認されたリ，ＵＨＦ帯の高域の通過損失が同軸ケーブルの減衰特性が有する周波数特性から予想される減衰量よりはるかに大きかったりしたなら，既設の同軸ケーブルを取除いて新たに同軸ケーブルを配線し直すか，同軸ケーブルを建物の外壁に這わせてから，壁などに穴をあけて建物内に同軸ケーブルを引入れ，それぞれの部屋に引入れるなどしないと，地上ディジタル放送波の信号が伝送されないといった問題が発生したり，Ｃ／Ｎが劣化して受信できなかったりする場合があった。
しかしながら，同軸ケーブルは建物の天井や壁面等の内部に沿わせて引回されているので，取除くのも困難であるし，新しい同軸ケーブルを壁面内等に引回すのは更に困難である。また，これに代わる方法として，建物等の外壁を沿わせて各部屋に引き込み，更に各部屋の内壁に同軸ケーブルを這わせて配線する方法があるが，この方法は簡単に実現できるものの，建物を傷つけたり建物の美観を損ねたりするし，各部屋の配線も美観を損ねることなく行うことは困難であリ，延いては，ビルやマンション等の価値を下げるといった問題があった。
また，高出力タイプのブースターを用いて，伝送特性の悪い部分を含めて全体のレベルを上げる方法も考えられるのであるが，ブースターには，その最大出力には制限があリ，あまり高出力にはできなし，高出力化はその設計も難しいしコストも掛かる。また仮に全体のレベルを上げることができたとしても，伝送特性の悪くない周波数帯と伝送特性の悪い周波数帯（例えばＶＨＦ帯とＵＨＦ体の高域側）におけるレベル差が大きくなりすぎ，ＣＡＴＶシステムとして問題が生じる。
そこで本願においては，こうした問題点を解決するためになされたものであり，
その目的は，同軸ケーブルのＵＨＦ帯の高域側で伝送特性の劣化した既設のＣＡＴＶシステムを，同軸ケーブルを取替えることなく広帯域にわたって伝送できるＣＡＴＶシステムを提供することを課題とする。
他の目的は，同軸ケーブルのＵＨＦ帯の高域側で伝送特性の劣化したＵＨＦ帯には対応していない既設のＣＡＴＶシステムを，同軸ケーブルを取替えることなくＵＨＦ帯まで伝送できるＣＡＴＶシステムを提供することを課題とする。
他の目的は，同軸ケーブルのＵＨＦ帯の高域側で伝送特性の劣化したＵＨＦ帯には対応していない既設のＣＡＴＶシステムを，ＵＨＦ帯が伝送できるようにするための改修工事が簡単に行えるＣＡＴＶ装置を提供することを課題とする。
他の目的は，同軸ケーブルのＵＨＦ帯の高域側で伝送特性の劣化したＵＨＦ帯には対応していない既設のＣＡＴＶシステムを，ＵＨＦ帯が伝送できるようにするための改修工事が，視聴者が長時間に亘ってテレビの視聴を制限されることなくできるようにすることを課題とする。
他の目的は，同軸ケーブルのＵＨＦ帯の高域側で伝送特性の劣化したＵＨＦ帯には対応していない既設のＣＡＴＶシステムを，簡単且つ安価に広帯域化することを課題とする
その他の目的も，以下に示す実施例の中で明確になるであろう。
【課題を解決するための手段】
【０００８】  上記課題を解決するために，請求項１の発明は，ＣＡＴＶ網からタップオフを介して引き込まれた引込線に接続されるＣＡＴＶシステムであって，少なくとも，引込線によって引込まれた下り帯域信号としての第１の周波数帯の信号を分配若しくは分岐して複数の系統の伝送経路で端末側に伝送するように構成されたＣＡＴＶシステムにおいて，
該ＣＡＴＶシステムに伝送する下り帯域信号として，前記第１の周波数帯の信号に変わって，前記第１の周波数帯を含み，少なくとも該第１の周波数帯の最大周波数より高い周波数を有する第２の周波数帯の信号を伝送した時に，
各系統の伝送経路における伝送損失を補償するための前記第２の周波数帯の信号を所定量だけ増幅する第１信号増幅器を伝送経路の所定位置に介設するのに加え，前記伝送経路を前記第２の周波数帯の信号が通過することによって発生する信号レベル差を補償するための第１信号処理手段を前記信号増幅器の入力側および出力側の両方若しくはいずれか一方における伝送経路の所定位置に介設することによって，前記第２の周波数帯における端末側の信号レベルが何れの系統の伝送経路においても所定値レベル以上となるように構成した。【０００９】  請求項２の発明は，ＣＡＴＶ網からタップオフを介して引き込まれた引込線に接続されるＣＡＴＶシステムであって，少なくとも，引込線によって引込まれた下り帯域信号としての第１の周波数帯の信号を分配若しくは分岐して複数の系統の伝送経路で端末側に伝送するように構成されたＣＡＴＶシステムにおいて，
該ＣＡＴＶシステムに伝送する下り帯域信号として，前記第１の周波数帯の信号に変わって，前記第１の周波数帯を含み，少なくとも該第１の周波数帯の最大周波数より高い周波数を有する第２の周波数帯の信号を伝送した時に，
前記複数の系統の伝送経路のうち，伝送損失が所定値より大きい伝送経路があれば，該伝送経路の内における所定長の伝送経路を介して，所定長の伝送経路の前方側には第２の周波数帯の信号を所定量だけ増幅する第１信号増幅器と該第１信号増幅器の入力側および出力側の両方若しくはいずれか一方における所定位置に第１信号処理手段を介設し，所定長の伝送経路の後方側には第２の周波数帯の信号を所定量だけ増幅する第２信号増幅器と該第２信号増幅器の入力側および出力側の両方若しくはいずれか一方における所定位置に第２信号処理手段を介設してあり，
前記複数の系統の伝送経路のうち，伝送損失が所定値より小さい伝送経路があれば，前記第１信号増幅器と前記第１信号処理手段を介設してあり，
前記第１信号処理手段は，前記所定長の伝送経路を前記第２の周波数帯の信号が通過することによって発生する信号レベル差を補償すると共に，前記第２信号増幅回路に過大入力が入力されるのを阻止するように構成し，
前記第２信号処理手段は，前記所定長の伝送経路より端末側の伝送経路を前記第２の周波数帯の信号が通過することによって発生する信号レベル差を補償するように構成することによって，前記第２の周波数帯における端末側の信号レベルが何れの系統の伝送経路においても所定値レベル以上となるように構成した。【００１０】  請求項３の発明は，該ＣＡＴＶシステムに伝送する下り帯域信号として，前記第１の周波数帯の信号に変わって，前記第１の周波数帯を含み，少なくとも該第１の周波数帯の最大周波数より高い周波数を有する第２の周波数帯の信号を伝送した時に，
前記複数の系統の伝送経路のうち，伝送損失が所定値より大きい伝送経路があれば，該伝送経路の内における所定長の伝送経路を介して，所定長の伝送経路の前方側には第２の周波数帯の信号が前記伝送経路を通過することによって伝送損失の値が最大減衰量を示す周波数における端末側の信号レベルと前記所定値レベルとの差の略１／２だけ増幅する第１信号増幅器と該第１信号増幅器の出力側における所定位置に第１信号処理手段を介設し，所定長の伝送経路の後方側には第２の周波数帯の信号が前記伝送経路を通過することによって伝送損失の値が最大減衰量を示す周波数における端末側の信号レベルと前記所定値レベルとの差の略１／２だけ増幅する第２信号増幅器と該第２信号増幅器の出力側における所定位置に第２信号処理手段を介設してあり，
前記複数の系統の伝送経路のうち，伝送損失が所定値より小さい伝送経路があれば，前記第１信号増幅器と前記第１信号処理手段を介設してあり，
前記第１信号処理手段は，前記所定長の伝送経路を前記第２の周波数帯の信号が通過することによって発生する信号レベル差を補償すると共に，前記第２信号増幅回路に過大入力が入力されるのを阻止するように構成し，
前記第２信号処理手段は，前記所定長の伝送経路より端末側の伝送経路を前記第２の周波数帯の信号が通過することによって発生する信号レベル差を補償するように構成することによって，前記第２の周波数帯における端末側の信号レベルが何れの系統の伝送経路においても所定値レベル以上となるように構成した。【００１１】  請求項４の発明は，ＣＡＴＶ網からタップオフを介して引き込まれた引込線に接続されるＣＡＴＶシステムであって，少なくとも，引込線によって引込まれた下り帯域信号としての第１の周波数帯の信号を分配若しくは分岐して複数の系統の伝送経路で端末側に伝送するように構成されたＣＡＴＶシステムの配線方法において，
該ＣＡＴＶシステムに伝送する下り帯域信号として，前記第１の周波数帯の信号に変わって，前記第１の周波数帯を含み，少なくとも該第１の周波数帯の最大周波数より高い周波数を有する第２の周波数帯の信号を伝送した時に，
各系統の伝送経路における伝送損失を補償するための前記第２の周波数帯の信号を所定量だけ増幅する第１信号増幅器を伝送経路の所定位置に介設するのに加え，前記伝送経路を前記第２の周波数帯の信号が通過することによって発生する信号レベル差を補償するための第１信号処理手段を前記信号増幅器の入力側および出力側の両方若しくはいずれか一方における伝送経路の所定位置に介設することによって，前記第２の周波数帯における端末側の信号レベルが何れの系統の伝送経路においても前記所定値レベル以上となるように構成した。【００１２】  請求項５の発明は，ＣＡＴＶ網からタップオフを介して引き込まれた引込線に接続されるＣＡＴＶシステムであって，少なくとも，引込線によって引込まれた下り帯域信号としての第１の周波数帯の信号を分配若しくは分岐して複数の系統の伝送経路で端末側に伝送するように構成されたＣＡＴＶシステムの配線方法において，
該ＣＡＴＶシステムに伝送する下り帯域信号として，前記第１の周波数帯の信号に変わって，前記第１の周波数帯を含み，少なくとも該第１の周波数帯の最大周波数より高い周波数を有する第２の周波数帯の信号を伝送した時に，
前記複数の系統の伝送経路のうち，伝送損失が所定値より大きい伝送経路があれば，該伝送経路の内における所定長の伝送経路を介して，所定長の伝送経路の前方側には第２の周波数帯の信号を所定量だけ増幅する第１信号増幅器と該第１信号増幅器の入力側および出力側の両方若しくはいずれか一方における所定位置に第１信号処理手段を介設し，所定長の伝送経路の後方側には第２の周波数帯の信号を所定量だけ増幅する第２信号増幅器と該第２信号増幅器の入力側および出力側の両方若しくはいずれか一方における所定位置に第２信号処理手段を介設してあり，
前記複数の系統の伝送経路のうち，伝送損失が所定値より小さい伝送経路があれば，前記第１信号増幅器と前記第１信号処理手段を介設してあり，
前記第１信号処理手段は，前記所定長の伝送経路を前記第２の周波数帯の信号が通過することによって発生する信号レベル差を補償すると共に，前記第２信号増幅回路に過大入力が入力されるのを阻止するように構成し，
前記第２信号処理手段は，前記所定長の伝送経路より端末側の伝送経路を前記第２の周波数帯の信号が通過することによって発生する信号レベル差を補償するように構成することによって，前記第２の周波数帯における端末側の信号レベルが何れの系統の伝送経路においても前記所定値レベル以上となるように構成した【００１３】  請求項６の発明は，請求項５に記載のＣＡＴＶシステムの配線方法において，該ＣＡＴＶシステムに伝送する下り帯域信号として，前記第１の周波数帯の信号に変わって，前記第１の周波数帯を含み，少なくとも該第１の周波数帯の最大周波数より高い周波数を有する第２の周波数帯の信号を伝送した時に，
前記複数の系統の伝送経路のうち，伝送損失が所定値より大きい伝送経路があれば，該伝送経路の内における所定長の伝送経路を介して，所定長の伝送経路の前方側には第２の周波数帯の信号が前記伝送経路を通過することによって伝送損失の値が最大減衰量を示す周波数における端末側の信号レベルと前記所定値レベルとの差の略１／２だけ増幅する第１信号増幅器と該第１信号増幅器の出力側における所定位置に第１信号処理手段を介設し，所定長の伝送経路の後方側には第２の周波数帯の信号が前記伝送経路を通過することによって伝送損失の値が最大減衰量を示す周波数における端末側の信号レベルと前記所定値レベルとの差の略１／２だけ増幅する第２信号増幅器と該第２信号増幅器の出力側における所定位置に第２信号処理手段を介設してあり，
前記複数の系統の伝送経路のうち，伝送損失が所定値より小さい伝送経路があれば，前記第１信号増幅器と前記第１信号処理手段を介設してあり，
前記第１信号処理手段は，前記所定長の伝送経路を前記第２の周波数帯の信号が通過することによって発生する信号レベル差を補償すると共に，前記第２信号増幅回路に過大入力が入力されるのを阻止するように構成し，
前記第２信号処理手段は，前記所定長の伝送経路より端末側の伝送経路を前記第２の周波数帯の信号が通過することによって発生する信号レベル差を補償するように構成することによって，前記第２の周波数帯における端末側の信号レベルが何れの系統の伝送経路においても前記所定値レベル以上となるように構成した，ことを特徴とした【００１４】  請求項７の発明は，請求項１から請求項３の何れか一項に記載のＣＡＴＶシステム及び請求項４から請求項６の何れか一項に記載のＣＡＴＶシステムの配線方法に用いるためのＣＡＴＶ機器において，前記信号増幅器と前記信号処理手段を同一の筐体に収納するように構成した。【００１５】  請求項８の発明は，請求項１から請求項３に記載のいずれか一項に記載のＣＡＴＶシステム及び請求項４から請求項６の何れか一項に記載のＣＡＴＶシステムの配線方法に用いるためのＣＡＴＶ機器において，前記信号増幅器と前記信号処理手段と，前記信号増幅器において所定量増幅され前記信号処理手段において所定の信号処理された信号を所定数に分配する信号分配器を同一の筐体に収納するように構成した。【００１６】  請求項９の発明は，請求項１から請求項３に記載のいずれか一項に記載のＣＡＴＶシステム及び請求項４から請求項６に記載のいずれか一項に記載のＣＡＴＶシステムの配線方法及び請求項７または請求項８の何れか一項に記載のＣＡＴＶ機器において，前記信号処理手段は前記第２の周波数帯の高域側における信号レベルと前記第２の周波数帯の低域側における信号レベルとの差を補償するように構成されたチルト回路であるように構成した。
【発明の効果】
【００１７】  請求項１の発明によれば，第１の周波数帯の一例としてのＣＡＴＶ網が４５０ＭＨｚ帯までの帯域を使ったサービスから，伝送周波数帯を拡大した第２の周波数帯の一例としての７７０ＭＨｚ帯を使ってパススルー方式等で地上ディジタル放送信号までを伝送するサービスに変更するような場合において，該ＣＡＴＶ網に接続されたビルやマンション等のＣＡＴＶシステムに敷設された伝送路（例えば，同軸ケーブル。以下，同軸ケーブルと記載する。）の伝送特性に同軸ケーブル固有の問題でＵＨＦ帯の高域側などにおいて，同軸ケーブルの減衰特性が有する周波特性から予想される減衰量をはるかに上回る通過損失が発生していて端末側にテレビがきれいに見られるような信号レベル（所定値レベル）が伝送されず，しかもその通過損失の対策のために同軸ケーブルの再配線がし難い状況にあるような場合に，本発明の信号増幅器および信号処理手段を伝送経路に介設してＣＡＴＶシステムを構成することによって，前記信号増幅器においては，第２の周波数帯における端末側のレベルが何れの伝送経路においても所定値レベル（即ち，テレビがきれいに見られるような信号レベル）以上となるように，各系統の伝送経路における伝送損失を補償するよう前記第２の周波数帯の信号を所定量だけ増幅し，前記信号処理手段においては，前記伝送経路を前記第２の周波数帯の信号が通過することによって発生する信号レベル差（例えば，前記第２の周波数帯の高域側の信号レベルと前記第２の周波数帯の低域側の信号レベルとの間に発生する信号レベル差）を補償することができるので，
既設のＣＡＴＶシステムに使われている伝送特性の不明な同軸ケーブルを，更に広帯域た周波数帯の信号の伝送に対応させようとする場合に，上述のような伝送上の問題である通過損失の劣化が発生していても，端末側において例えば第２の周波数帯における高域側の信号レベルが低く（即ち，所定値レベル以下）なりすぎてテレビが見られないといった問題を解決するばかりでなく，第２の周波数帯内に生じる信号レベル差を打ち消して端末側の信号レベルが略一定な値となるように第２の周波数帯の信号を伝送することができることによって，既に敷設されている同軸ケーブルを新しく配線しなおすことなく，ビルやマンションの各端末側に所定値レベルの信号が供給でき，同軸ケーブルの再配線がし難い既設のＣＡＴＶシステムであっても，７７０ＭＨｚ帯への改修工事が簡単且つ安価に可能になるのである。
そして，更に加えて建物の外壁に同軸ケーブルを這わせたり，外壁に穴をあけたりすることがないので建物の美観を損なうこともなく，これによる建物の価値を下げることもない。
更に加えて，同軸ケーブルを配線し直す事がなく，機器の交換や取付だけで改修工事がすむので，工事期間が短くて済み，その結果，加入者が長時間に渡ってテレビの視聴ができないといった問題もなくなるのである。【００１８】  請求項２の発明によれば，既設のＣＡＴＶシステムを構成している複数の伝送経路の引回し経路長がすこぶる長かったり，引回し経路長が長かったり短かかったりして線路長にバラツキがあって，第２の周波数帯の信号の通過損失が大きくなるような伝送経路を有するＣＡＴＶシステムであっても，複数の伝送経路のうち，伝送損失が所定値より大きい伝送経路には，所定長の伝送線路を介して，所定長の伝送経路の前方側には第２の周波数帯の信号を所定量だけ増幅する第１信号増幅器と該第１信号増幅器の入力側および出力側の両方若しくはいずれか一方における所定位置に第１信号処理手段を介設し，所定長の伝送経路の後方側には第２の周波数帯の信号を所定量だけ増幅する第２信号増幅器と該第２信号増幅器の入力側および出力側の両方若しくはいずれか一方における所定位置に第２信号処理手段を介設し，前記複数の系統の伝送経路のうち，伝送損失が所定値より小さい伝送経路には，前記第１信号増幅器と前記第１信号処理手段を介設し，しかも，前記第１信号処理手段は，前記所定長の伝送経路を前記第２の周波数帯の信号が通過することによって発生する信号レベル差を補償すると共に，前記第２信号増幅回路に過大入力が入力されるのを阻止するように構成し，前記第２信号処理手段は，前記所定長の伝送経路より端末側の伝送経路を前記第２の周波数帯の信号が通過することによって発生する信号レベル差を補償するようにＣＡＴＶシステムを構成することで，既設のＣＡＴＶシステムであっても第２の周波数帯の信号を所定レベル以上で且つ全帯域に亘って信号レベル差の少ない極めた安定した信号を端末側に伝送できるようになる。【００１９】  請求項３の発明によれば，請求項２の効果に加え，第１信号増幅器および第２信号増幅器は，それぞれ第２の周波数帯の信号のなかで通過損失が最大減衰量を示す周波数における端末側の信号レベルと前記所定値レベルとの差の略１／２だけ信号を増幅するように構成すると共に，信号処理手段の介設する位置を信号増幅器の出力側に備えさせるようにすることによって，信号増幅器が有する最大出力レベルを必要以上に高くしなくてもよくなり，信号増幅回路の回路設計が容易となるばかりでなく発熱等の対策も簡単となリ，延いては信号増幅器のコストを安価にすることができる。更に，信号処理回路を出力側に備えるようにすることによって，信号増幅器に入力される信号レベルを低下させることが無く，これによって信号増幅器よるＣ／Ｎ劣化が防止でき，後方に向かってＣ／Ｎのよい信号を送出することができる。【００２０】  つまり，ＣＡＴＶシステムに伝送する下り帯域信号として，前記第１の周波数帯の信号に変わって，前記第１の周波数帯を含み，少なくとも該第１の周波数帯の最大周波数より高い周波数を有する第２の周波数帯の信号を伝送するような場合，例えば，第１の周波数帯の信号の一例としての９０から４５０ＭＨｚ帯の信号に対応させた既設のＣＡＴＶシステムに，第２の周波数帯の信号の一例としての７０から７７０ＭＨｚ帯の信号を伝送させる場合に発生する次のような問題に素早く且つ安価に対応ができるのである。【００２１】  まず第１の問題は分配器や分岐器および同軸ケーブル等の周波数特性によるものである。一般的にこれらの機器を通過する信号の周波数帯が高くなるほど通過損失が大きくなることから，４５０ＭＨｚ帯に対応するように構成されたＣＡＴＶシステムに７７０ＭＨｚ帯の信号を伝送しようとすれば，ＵＨＦ帯の高域側の伝送経路の通過損失が大きく，端末側に信号がうまく伝わらずに，端末側の信号レベルが所定値レベルに達しない場合が考えられる。この場合の所定値レベルはテレビがきれいに見られる信号レベルである。しかしながら例えば一般的な４分配器であれば，４５０ＭＨｚにおける分配損失が略７ｄＢに対して，７７０ＭＨｚにおける分配損失は略８ｄＢ程度となり，同軸ケーブルであればたとえば一般的な５ＣＦＶの１０ｍあたりの減衰量は，４５０ＭＨｚにおいて略１．５ｄＢに対して，７７０ＭＨｚにおいては略２ｄＢであり，それぞれの損失の増加は僅かであるから，既設のＣＡＴＶシステムであってもそのまま７７０ＭＨｚ帯に対応できそうである。ところが実際には既設のＣＡＴＶシステムに第２周波数帯の信号を伝送させると，その伝送特性は特に敷設されている同軸ケーブルによる影響を強く受ける事が分かっており，この同軸ケーブルが高周波信号の伝送に適さない（例えば，線径が細い。編組が網状になっていないなどの原因によって。）ものであったり，経年変化による高周波特性の劣化が著しいものであったりすれば，端末側において，例えば第２の周波数帯の高域側の信号レベルと低域側の信号レベルとのあいだで極めて大きな信号レベル差が生じるばかりか，高域側における通過損失が予想される減衰量より極めて大きくて所定値レベルが得らないＣＡＴＶシステムとなってしまうのである。【００２２】  次に第２の問題は特定の同軸ケーブルが持つ固有の問題である。即ち，同軸ケーブルは経年変化により物理的にも電気的にも影響を受ける事が分かっており，これらの変化の中でも特に同軸ケーブルの伝送特性に大きく影響するものとして，ＵＨＦ帯内の特定周波数（特に，ＵＨＦ帯の低域側に発生する。）で減衰量が大きく増加するディップ現象があり，その現象は，同軸ケーブルの種類や設置された年代によって発生する場合がある。このような特定の同軸ケーブルを用いた既設のＣＡＴＶシステムでは，従来のように４５０ＭＨｚ帯の伝送では，ディップ現象が起きていても伝送する信号がなかったので問題とならなかったが，このＣＡＴＶシステムに７７０ＭＨｚ帯までの信号を伝送しようとすると，端末側において，ディップ現象が発生した周波数帯の信号とその周波数帯の前後の周波数帯の信号レベルとのあいだで極めて大きな信号レベル差が生じるばかりか，ディップ現象が発生した周波数帯の信号の通過損失が極めて大きくて所定値レベルが得らないＣＡＴＶシステムとなってしまうのである。【００２３】  そして，上述のような伝送特性に問題を有するＣＡＴＶシステムは全国的に多数存在する。しかも，２０１１年には地上アナログ放送が完全停波してしまうことから，全施設を地上ディジタル放送に対応させることが必要となり，その一つの方法として，第１の周波数帯の一例としての４５０ＭＨｚ帯までを伝送すればよかった既設のＣＡＴＶシステムに対して，伝送周波数帯を拡大した第２の周波数帯の一例としての７７０ＭＨｚ帯を伝送するように改修して，地上ディジタル放送信号をそのまま伝送するパススルー方式に対応させる方法が考えられている。
そこで，本発明は，例えば４５０ＭＨｚ帯に対応していて７７０ＭＨｚ帯までは対応していない既設のＣＡＴＶシステムを７７０ＭＨｚ帯に対応させるための改修工事において，特に，伝送経路の伝送特性に上述のような問題があるものの，同軸ケーブルが壁面内部に設置されていたりして，既設の同軸ケーブルを取外し新たに同軸ケーブルを壁面内部に配線することによる対応が難しいシステムであっても，敷設された同軸ケーブルを交換することなくそのまま使って改修工事が行え，しかもその工事が簡単且つ安価できるようにするものであり，加えて，既設の同軸ケーブルを使い，信号増幅器の交換や信号処理手段の取付けだけで改修工事がすむので，７７０ＭＨｚ帯の信号を引込むために，同時ケーブルを建物の外壁に沿わせて新しく配線することも，建物の外壁に穴をあけて同軸ケーブルを引込む事も必要が無く，このため建物の美観や建物の価値を下げることもないし，また，工事期間が短くて済むことから，加入者が長時間に渡ってテレビの視聴が制限されることのないＣＡＴＶシステムが実現できる有用性の高いものである。
同様に，以下に示すように，７７０ＭＨｚ帯より狭い周波数帯に対応する既設のＣＡＴＶシステムを，７７０ＭＨｚ帯を含む広帯域な周波数帯のシステムとして構築するための簡便な配線方法が実現できるし，また，前記ＣＡＴＶシステムや前記配線方法を実現するために用いるために好適なＣＡＴＶ機器が提供できることから，地上ディジタル放送への完全移行にあたり極めて有益な有効な発明を提供することができるのである。【００２４】  請求項４から請求項６の発明によれば，既設のＣＡＴＶシステムに対して，請求項１から請求項３に示される信号増幅器や信号処理手段を伝送経路の所定位置に備えさせるだけで簡単且つ安価にシステムの改修が行えるＣＡＴＶシステムの配線方法を提供できる。
また，建物の外壁に同軸ケーブルを這わせたり，外壁に穴をあけたりすることがないので建物の美観を損なうこともなく，これによる建物の価値を下げることもない。
更に加えて，同軸ケーブルを配線し直す事がなく，機器の交換や取付だけで改修工事がすむので，工事期間が短くて済み，その結果，加入者が長時間に渡ってテレビの視聴ができないといった問題に対して極めて好適なＣＡＴＶシステムの配線方法を提供できる。【００２５】  請求項７の発明によれば，請求項１または請求項２の何れか一項に記載のＣＡＴＶシステム及び請求項３または請求項４の何れか一項に記載のＣＡＴＶシステムの配線方法に用いるためのＣＡＴＶ機器において，前記信号増幅器と前記信号処理手段を同一の筐体に収納するように構成したので，既設のＣＡＴＶシステムにおける例えば収納ボックスに簡単に取付けることができ，しかも省スペースで設置できることから，第２の周波数帯に対応するためのＣＡＴＶシステムの改修工事に対してすこぶる利便性の良いＣＡＴＶ機器を提供できる。【００２６】  請求項８の発明によれば，請求項１から請求項３に記載のいずれか一項に記載のＣＡＴＶシステム及び請求項４から請求項６の何れか一項に記載のＣＡＴＶシステムの配線方法に用いるためのＣＡＴＶ機器において，前記信号増幅器と前記信号処理手段と，前記信号増幅器において所定量増幅され前記信号処理手段において所定の信号処理された信号を所定数に分配する信号分配器を同一の筐体に収納するように構成したので，既設のＣＡＴＶシステムにおける例えば収納ボックスに簡単に取付けることができ，しかも，例えば既設の信号分配器をなくすことで，更に省スペース化が図れることから，収納ボックス等の限られたスペースに対する設置が容易にでき，第２の周波数帯に対応するためのＣＡＴＶシステムの改修工事に対して極めて利便性の良いＣＡＴＶ機器を提供できる。
加えて，前記信号増幅器と前記信号処理手段と前記信号分配器を同一筐体に収納したことによって，信号分配器による分配後の出力レベルが，ＴＶブースターに決められた最大値を超えない範囲で信号増幅器の出力レベルを高出力化することによって信号分配器の分配損失を補うことができ，従来のように信号増幅器と信号分配器を個別に接続したときと比べて，レベルの高い信号を端末側に向かって送出できることから，第１の周波数帯に比べて広帯域な第２の周波数帯に対応させるためのＣＡＴＶシステムの改修工事に対して，すこぶる利便性が良く且つ汎用性の高いＣＡＴＶ機器を提供できる。【００２７】  請求項９の発明によれば，第１の周波数帯の信号の一例としての９０から４５０ＭＨｚ帯の信号に対応させた既設のＣＡＴＶシステムに，第２の周波数帯の信号の一例としての７０から７７０ＭＨｚ帯の信号を伝送した場合であって，特に第２周波数帯の高域側における通過損失が同軸ケーブルの減衰特性が有する周波数特性から予想される減衰量よりはるかに大きく，第２の周波数帯の高域側の信号レベルと低域側の信号レベルとのあいだで極めて大きな信号レベル差が生じてしまっているようなＣＡＴＶシステムであったとしても，信号増幅器と，信号処理回路の一例としてのチルト回路を備えさせることによって，端末側に所定レベル以上で且つ全帯域に亘って信号レベル差の少ない極めた安定した信号を伝送できるようになる。
【発明を実施するための最良の形態】
【００２８】  以下に，本発明を具体化した実施形態の例を，図面を基に詳細に説明する。
図１は従来のＣＡＴＶシステムの一例を示す概略構成図であり，図２は本発明に係る信号増幅器と信号処理回路を備えたＣＡＴＶシステムの一例を示す概略構成図である。図３（ａ）は図１に示されるＣＡＴＶシステムにおけるＸ点とＹ点間の伝送損失を示す７０から７７０ＭＨｚまでの周波数特性であり，（ｂ）は第１の実施例として示される信号処理手段２０Ａの７０から７７０ＭＨｚまでの周波数特性である。図４（ａ），（ｂ），（ｃ），（ｄ）は信号増幅器と信号処理手段の配列状態を示す概略構成図である。図５（ａ）は図１に示されるＣＡＴＶシステムにおけるＸ点とＹ点間の伝送損失を示す７０から７７０ＭＨｚまでの周波数特性の異なる例であり，（ｂ）は第１の実施例の異なる例として示される信号処理手段２０Ｂの７０から７７０ＭＨｚまでの周波数特性であり，（ｃ）は第２の実施例として示される信号処理手段２０Ｃの７０から７７０ＭＨｚまでの周波数特性である。図６（ａ）は第１の実施例として示される信号処理手段２０Ａの具体的な回路構成を示し，チルト量とチルトの基準となる基準周波数が固定のものであり，（ｂ）は第１の実施例の異なる例として示される信号処理手段２０Ｂの具体的な回路構成を示し，チルト量とチルトの基準となる基準周波数を調整可能に構成されたものである。図７は第２の実施例として示される信号処理手段２０Ｃの具体的な回路構成を示す。図８は第４の実施例として示される信号処理手段２０Ｅの回路構成を示し，（ａ）は概略構成図であり，（ｂ）は具体的な回路構成を示す。図９は従来のＣＡＴＶシステムの異なる例を示す概略構成図である。図１０は本発明に係る信号増幅器と信号処理手段を備えたＣＡＴＶシステムの異なる例を示す概略構成図である。図１１は信号増幅器と信号処理手段の組合せを２つ備えた場合の配列状態を示すＣＡＴＶシステムの一部を取出した図である。図１２は信号増幅器と信号処理手段の異なる位置に配設した例を示すＣＡＴＶシステムの一部を取出した図であリ，（ａ）は引込線の途中に配設した例であり，（ｂ）は直列ユニットとテレビ等の端末側装置との間に配設した例である。
【実施例１】
【００２９】  図１は従来からあるビルやマンション等に設置されたＣＡＴＶシステムの概略構成を示す図であり，例えば下り帯域信号として第１の周波数帯（例として４５０ＭＨｚ帯若しくは４５０ＭＨ以下の伝送帯域）の信号を使ってサービスを行うＣＡＴＶ網に接続された既設のＣＡＴＶシステムである。この図において１は図には示されていないセンター局と接続されている幹線から分岐された分岐線を示し，この分岐線１はタップオフ２を介してさらに先に延設されている。そしてタップオフ２には引込線３，４が接続され，この引込線４を介してビルやマンション等のＣＡＴＶシステムはＣＡＴＶ網に接続されている。図における実施例では引込線４は５に示されるビルやマンション等に設置された保安器６に接続され，この保安器６から先は，同軸ケーブル７によっての建物５に引き込まれている。【００３０】  建物５に引き込まれた同軸ケーブル７は，一度建物５の屋上や建物内のメンテナンスルームなどに設置された図には示されていない収納ボックス等まで引回されている。この収納ボックスは，内部にテレビ受信機器等を収納するための収納空間を有し，この収納空間の奥底には，テレビ受信機器等の取付けをするための板体等が備えられると共に，ＡＣ１００Ｖの商用電源が得られるＡＣコンセント等が敷設されている。そして，この収納ボックスには１４に示される信号増幅器が取付けられており，収納ボックスまで引回された前記同軸ケーブル７はこの信号増幅器１４に接続されている。この実施例では信号増幅器１４はＣＡＴＶシステムに適した４５０ＭＨｚ帯対応の棟内ブースターである。
更に，信号増幅器１４の先には同軸ケーブル８が接続されており，同軸ケーブル８のその先には分岐器９が接続されている。
本発明の実施例では，分岐器９は４分岐器であり，それぞれの分岐端子からは同軸ケーブル１０や１３などを介して，建物５の上の階から下の階にかけて中継用の直列ユニット１１を３つと端末の直列ユニット１２が接続されており，各直列ユニットは建物５の各階にある部屋にそれぞれ配設された複数の伝送経路を形成している。そして，これらの分岐器９，直列ユニット１１，１２，同軸ケーブルなどは，少なくとも４５０ＭＨｚ帯の信号が伝送できる周波数特性を有するもので構成されており，実施例ではこれらの機器を使って建物５内で１６端子に分配するＣＡＴＶシステムが構成されている。
尚，分岐器，直列ユニット等の下限の使用周波数は例えば７０ＭＨｚのものでも良いが，例えば下限の使用周波数が１０ＭＨｚのものを使用し，信号増幅器も１０から５５ＭＨｚ帯の上り帯域信号を増幅若しくは通過する上り信号回路を有するようにしてあれば双方向ＣＡＴＶシステムにも対応できる。【００３１】  このように構成されたＣＡＴＶシステムは，ＣＡＴＶ局から送られてくる例えば７０から４５０ＭＨｚ帯の下り帯域信号を使ったサービスを受けているのであるが，ＣＡＴＶ局において，更なる多チャンネル化や，ＵＨＦ帯の低域側で行われている地上ディジタル放送の信号をパススルー方式等を使ってサービスを開始するために，ＣＡＴＶ網の伝送帯域を下り帯域信号として第２の周波数帯（例として７７０ＭＨｚ帯までの帯域）の信号まで拡大することになれば，加入者（ＣＡＴＶシステム）側においてこれらのサービスを受けるためには，建物５内のＣＡＴＶシステムを７７０ＭＨｚ帯に対応させる必要がある。普通，テレビ受信に一般的に使用されている分岐器，直列ユニット，同軸ケーブルなどは，既に放送が行われているＶＨＦとＵＨＦの地上アナログ放送を受信するために，少なくとも７７０ＭＨｚ帯まで対応する周波数特性を有する機器で構成されているはずであるから，既設のＣＡＴＶシステムであっても７７０ＭＨｚ帯まで伝送でき，例えば既設の４５０ＭＨｚ帯対応の棟内ブースター１４を７７０ＭＨｚ帯対応のブースターに変更すれば７７０ＭＨｚ帯のサービスに対応させることができると考えられる。【００３２】  ところが建物５内に敷設されている同軸ケーブル７，８，１０，１３等は，古いＣＡＴＶシステムでは，もともと７７０ＭＨｚ帯までの伝送帯域を必要としなかったために，２５０ＭＨｚ帯，３００ＭＨｚ帯，４５０ＭＨｚ帯等，それぞれの時代におけるサービスに適応するようにシステムが構築されていれば良く，それぞれのシステムに敷設されている機器や同軸ケーブルの周波数特性の規格が７７０ＭＨｚに対応していないことも考えられる。この原因として，広帯域な高周波伝送には向かない線径の細い同軸ケーブルが使用されていたり，シールド線のような外部導体（編組）からなる粗悪なケーブルが用いられていたりしていること等が考えられる。このようなシステムの場合には，使用している同軸ケーブルの周波数特性の良し悪しが全体の伝送特性に大きく影響を与え，伝送帯域の高域側，特に７７０ＭＨｚ付近における伝送損失が，同軸ケーブルの伝送損失の周波数特性から予想される減衰量よりはるかに大きな損失をもつことによって，伝送帯域の高域側で伝送損失が極めて大きくなリ，端末側における低域側と高域側の信号レベルがすこぶる大きいものとなるし，更には高域側における信号レベルが所定値レベルより低くなってしまうといった問題が発生する。（第１の問題）【００３３】  また，建物５内の共同受信システムが設置された時代によっては，テレビ受信用として一般的に使用されていた同軸ケーブルが持つ固有の問題によって，その伝送特性に特有の問題が発生する場合があり，棟内ブースターの変更だけでは７７０ＭＨｚ帯に対応できないことがある。つまり，同軸ケーブルは経年変化によって物理的にも電気的にもその影響を受け，ある時期まで使われていた同軸ケーブルでは，これらの影響のうち極めて大きな問題となるのは，ＵＨＦ帯内の特定周波数（特に，ＵＨＦ帯の低域側に発生する。）で減衰量が大きく増加するディップ現象の発生であり，ＵＨＦ帯のテレビ信号を使った地上ディジタル放送信号をそのままで伝送するパススルー方式を行うのに支障をきたすのである。（第２の問題）【００３４】  このよう伝送上の問題が発生した既設のＣＡＴＶシステムにおける７７０ＭＨｚ帯までの伝送特性を図３（ａ）及び図５（ａ）に示す。このデータは図１に示すＣＡＴＶシステムのＸ点とＹ点（２階部分に設置された直列ユニット１１の壁面端子）との間の通過損失を測定したものである。図３（ａ）に示されるデータは前記第１の問題である同軸ケーブルの周波数特性に起因する伝送特性（実線で示される）を示しており，このデータによればＵＨＦ帯の高域側の伝送損失が同軸ケーブルの減衰特性から予測される値（破線で示される）に比べてすこぶる大きくなっており，ＵＨＦ帯の高域側の信号は端末側まで最適レベルで伝送することができないことになる。また，図５（ａ）に示されるデータは前記第２の問題である同軸ケーブルが持つ固有の問題に起因する伝送損失を示しており，このデータによれば略４５０ＭＨｚを中心周波数とするディップが発生しており，この周波数帯の信号は端末側まで最適レベルで伝送することができない。
これに対応するためには，同軸ケーブルを新しく張り替えれば良いのであるが，既設の同軸ケーブルは，建物の壁面等の内部に引回されているので，取外すのも困難であるばかりか，新しく配線するのも極めて難しい。そこで本発明は，例えば４５０ＭＨｚ帯までの帯域に対応していて７７０ＭＨｚ帯までは対応していない既設のＣＡＴＶシステムを７７０ＭＨｚ帯に対応させるための改修工事において，たとえ，すでに敷設されている同軸ケーブルの伝送特性に上述のような問題があるものの，同軸ケーブルが壁面内部に設置されていたりして，既設の同軸ケーブルを取外し新たに同軸ケーブルを壁面内部に配線することによる対応が難しいシステムであっても，敷設された同軸ケーブルを交換することなくそのまま使って７７０ＭＨｚ対応の改修工事が行えるようにするためのものである。【００３５】  （第１の問題に対する実施例）
先ず，同軸ケーブルの一般的な周波数特性に起因する問題に対応する方法について説明する。この実施例では図２および図４に示すように，前記信号増幅器１４に変わって，ＣＡＴＶ機器の一例として信号増幅器１９と信号処理手段２０とを同一の筐体に収納してなる信号処理装置１５を備えさせようにしたものである。尚，この実施例では，信号増幅器１９と信号処理手段２０とを同一の筐体に収納した例を示したが，信号増幅器１９と信号処理手段２０とを別体で構成してもよい。以下の実施例についても同様である。
この実施例では，引込線から伝送されてくる下り帯域信号としての第２の周波数帯の信号（本発明の実施例では７０から７７０ＭＨｚ）を所定量だけ増幅する信号増幅器１９を伝送経路の所定位置に介設するのに加え，前記伝送経路を前記第２の周波数帯の信号が通過することによって発生する信号レベル差を補償するための信号処理手段２０を前記信号増幅器１９の入力側および出力側の両方若しくはいずれか一方における伝送経路の所定位置に介設することによって，前記第２の周波数帯における端末側の信号レベルが何れの系統の伝送経路においても所定値レベル以上となるように構成したものである。尚，ここでいう所定値レベルとは例えば端末側にテレビ等を接続したときにテレビがきれいに見える信号レベルである。
図４は本発明の実施例における前記信号増幅器１９と信号処理手段２０の配設順について信号処理装置１５の例を用いて説明したものであり，図４（ａ）は信号増幅器１９，信号処理手段２０の順で配設された例を示しており，図４（ｂ）に示されるように信号処理手段２０，信号増幅器１９の順のように配列を逆にしても良い。また，図４（ｃ）に示されるように信号増幅器１９を挟んで前後に信号処理手段２０ａ，２０ｂを配列しても良いし，図４（ｄ）のように信号処理手段２０を挟んで前後に信号増幅器１９ａ，１９ｂを配列しても良いなど特にその構成は限定されるものではない。尚，これらの例は，信号処理装置１５を用いて示したが，前記信号増幅器１９と信号処理手段２０を個別に備えたものでも同様である。【００３６】  ここで，信号増幅器１９について説明する。この信号増幅器１９は例えば高周波素子としてのトランジスタやＩＣから構成された所定の利得を有する増幅回路からなり，その増幅帯域は下り帯域信号に対応して７０から７７０ＭＨｚの帯域を増幅するように構成されている。この信号増幅器１９の利得は，少なくとも，前記第２の周波数帯の信号が伝送経路を通過することによって生じる最大通過損失を補償して，端末側の信号レベルが何れの系統の伝送経路においても所定値レベル以上となるような増幅度であればよいが，端末側の受信端末レベルを最適化できるように利得が高くて高出力タイプの増幅器がよい。そして更に利得調整回路を備えることで利得を連続的若しくは段階的に可変できるようにすれば，端末レベルの最適化が簡単にできる利便性の良い信号増幅器１９となる。
尚，信号増幅器１９は下り帯域信号を増幅するように構成された説明したが，ＣＡＴＶ上り帯域信号用の通過回路や増幅回路を備えて双方向ＣＡＴＶシステムに対応させるように構成したものでも良く，実施例に限定されるものではない。【００３７】  次に信号処理手段２０の実施例について説明する。尚，この実施例の信号処理手段は第１の実施例であり，以下の説明では信号処理手段２０Ａと記載する。
この実施例では，信号処理手段２０Ａを構成する信号処理回路２０１は，図３（ｂ）の周波数特性に示されるように，通過損失がＵＨＦ帯の高域側（例えば略７７０ＭＨｚ）において最小値を示し，少なくとも，下り帯域信号の低域側，即ちＶＨＦ帯の低域側（例えば略７０ＭＨｚ）において通過損失が最大値となるように，所定の傾きの周波数特性を有するチルト回路であるように構成されている。
図６（ａ）に具体的な回路構成を示す。図６（ａ）において示される信号処理回路２０１は，チルト量及びチルトの基準となる周波数（例えば，７７０ＭＨｚ）が一定となるように構成されたものである。この図において２７，２８，２９，３０は抵抗であり，３１，３４はコンデンサーであり，３２，３３はコイルである。【００３８】  つまり，この信号処理手段２０Ａの回路構成によると，既設のＣＡＴＶシステムに帯域の広い第２の周波数帯の信号を伝送したときに，システム上に発生した伝送帯域の高域側の減衰特性が極めて大きい伝送特性を示すな場合に対応するように，下り帯域信号に対してチルト量が適宜な値になるように設定するなどの信号処理を予め下り帯域信号の施すと共に，前記信号増幅器１９によって適宜に増幅することによって，既設の同軸ケーブルを使ったままであっても，端末側における第２の周波数帯の高域側（７７０ＭＨｚの近傍）の信号レベルが低く（即ち，所定値レベル以下）なりすぎてテレビが見られないといった問題を解決するばかりでなく，第２の周波数帯の信号を伝送することによって帯域内に生じる信号レベル差（例えば低域側の信号レベルと高域側の信号レベルの差）を打ち消して，端末側の信号レベルが略一定な値となるように第２の周波数帯の信号を伝送することができるのである。尚，チルト量を手動若しくは電気的な制御によって連続的若しくは段階的に可変できるようにすれば汎用性の高い信号処理手段を提供できる。また，チルトの周波数特性は第２の周波数帯の帯域内で一定の傾きを有するように構成しても良いし，所定の帯域ごとに傾きを変えるように構成しても良いな特にその構成は限定されるものではない。【００３９】  （第２の問題に対する実施例の１）
この実施例は伝送経路に同軸ケーブルの固有の問題であるディップ現象が発生した場合の実施例である。尚，信号増幅器１９は上記実施例と同様な構成であるので，以下の説明では特に必要とする場合を除いて詳細な説明は省略する。この実施例にかかる信号処理手段は図６（ａ）で示される第１の実施例と同様な構成の信号処理手段２０Ａ若しくは図６（ｂ）で示される第１の実施例の異なる例として示される信号処理手段２０Ｂである。これらの信号処理手段は，図３（ｂ）の周波数特性に示されるように，下り帯域信号の中から基準周波数（例えば，ディップが最大減衰量を示す周波数）を選択的に通過するように構成され，その通過損失は略基準周波数において最小値を示し，少なくとも，下り帯域信号の略最小周波数において通過損失が最大値となるように，略基準周波数より周波数の低い側に所定の傾きの周波数特性を有したチルト回路であるように構成されている。【００４０】  図６に具体的な回路構成を示す。図６（ａ）においてに示される第１の実施例の信号処理回路２０１は前記実施例と回路構成は同様であるが，チルト量及びチルトの基準となる中心周波数をディップが発生している周波数やレベル差に対応するように構成したものである。尚，この実施例において，抵抗２９，３０を例えば可変抵抗器等で構成して，その抵抗値を同時に可変できるようにすればチルト量を可変できるし，加えて，コンデンサー３１，３４をトリマコンデンサーのような半固定コンデンサー等で構成してその容量を同時に可変できるようにすればチルトの基準となる基準周波数を可変できるので，上述に示す何れの第１及び第２の問題にも同じ信号処理手段で対応することができ信号処理回路に汎用性を持たせることができる。【００４１】  この制御を電気的に行うように構成したものが図６（ｂ）に示される第１の実施例の信異なる例の信号処理手段２０Ｂである。この信号処理手段２０Ｂを構成する信号処理回路２０２において，２７，２８は抵抗であり，３５はコンデンサーであり，３２，３３はコイルであり，加えて，可変容量ダイオード３４ａと該可変容量ダイオード３４ａに対して中心周波数の制御信号を供給する周波数制御信号ライン３８と，この制御信号を供給すると共に高周波信号を阻止するためのチョークコイル３７ａとで周波数制御ができ，３６で示されるＰＩＮダイオードと，該ＰＩＮダイオード３６にチルト量の制御信号を供給するチルト量制御信号ライン３９と，この制御信号を供給すると共に高周波信号を阻止するためのチョークコイル３７ｂとでチルト量制御ができるように構成されていることによって，設置現場等において簡単且つ素早く調整することができるのである。【００４２】  つまり，この第１の実施例で示される信号処理手段によれば，既設のＣＡＴＶシステム上に発生したディップ特性に対応するように，下り帯域信号の中から基準周波数を設定若しくは調整すると共に，下り帯域信号の最小周波数（例えば，７０ＭＨｚ）におけるチルト量が適宜な値になるように設定若しくは調整するなどの信号処理を予め下り帯域信号の施すと共に，前記信号増幅器１９と合わせて端末側におけるディップの影響をなくすと共にレベル差の少ない最適なレベルの信号を供給できるのである【００４３】  （第２の問題に対する実施例の２）
次に，ディップ現象に対応するための信号処理手段の第２の実施例を説明する。この実施例では信号処理手段２０Ｃは信号処理回路２０３からなる。図７によく示されるように，入力端２１ａから入力される下り帯域信号を出力端２１ｂから主線路２５ａに出力すると共に，下り帯域信号の一部を分岐して分岐端２１ｃから分岐路２５ｂに出力するように構成された，例えばフェライトにポリウレタン線を巻きまわしてなる一対の分岐器からなる分岐手段２１を，主線路２５ａ同士および分岐路２５ｂ同士を接続するように対向配設し，その主線路２５ａには下り帯域信号の中から基準周波数を選択的に設定若しくは調整可能であると共に，所定帯域幅の信号を通過するように構成された第１フィルタ手段２２を介設し，その分岐路２５ｂには下り帯域信号の中から基準周波数を選択的に設定若しくは調整可能であると共に，前記第１フィルタ手段２２が通過する所定帯域幅の信号の通過を阻止するように構成された第２フィルタ手段２４を介設するように構成したフィルタ回路から構成されている。更に，この第１の実施例では，分岐路２５ｂには，分岐路２５ｂを通過する信号を連続的若しくは所定の間隔のステップで減衰させるための信号減衰回路２３が備えられている。
つまり，この信号処理手段２０Ｃは，主線路２５ａは，第１のフィルタ手段２２を介して通過させたい基準周波数を中心とした帯域（この場合，ディップ現象による最大のディップ点を示す中心周波数が基準周波数となり，この中心周波数を挟んで所定帯域幅の信号）を選択的に通過させ，分岐路２５ｂは，第１のフィルタ手段２２で選択的に決められた帯域幅を阻止帯域として，その阻止帯域の前後の帯域の信号を，分岐手段２１の分岐量（この場合，分岐手段２１の２つ分の分岐量の合計）だけ減衰させて通過するように構成したことによって，図５（ｃ）の周波数特性によく示されるような周波数特性を有したフィルタ回路２０３が構成される。【００４４】  このフィルタ回路２０３の構成によると，ビルやマンション等のＣＡＴＶシステム上に発生したディップ特性の最大減衰量と，この最大減衰量を示す周波数を中心周波数としたディップの帯域幅と，この帯域幅の下限周波数もしくは上限周波数における減衰量とのレベル差などに対応して，第１のフィルタ手段２２及び第２のフィルタ手段の基準周波数と帯域幅を設定若しくは調整すると共に，前記分岐手段２１の分岐量を適宜な値に設定若しくは調整して，信号処理手段２０が図５（ｃ）の周波数特性に示されるような，ディップ特性とは逆特性を有するようにする。加えて，前記信号増幅器１９によって下り帯域信号の信号を所定量だけ増幅してから端末側に向かって送出することによって，端末側においては，同軸ケーブルによって発生するディップの影響が少なくすることができると共に最適なレベルの信号を供給できるのである。
また，この第２の実施例の信号処理手段２０Ｃは，分岐手段としての一対の分岐器２１から構成されていることから，この信号処理手段２０Ｃの入力側と出力側の定在波比（ＶＳＷＲ）が広帯域に亘って良好な値を有するので，この信号処理手段２０Ｃの介設によって，インピーダンスの不整合の発生を極めて小さいものにすることができるし，広帯域な第２の周波数帯の信号を伝送しても良好に信号処理することができる高性能な信号処理手段１９を実現できる。【００４５】  尚，前記第１のフィルタ手段２２及び第２のフィルタ手段２４はディップ特性に合わせて基準周波数，帯域幅や阻止量等を電気的に制御して調整自在になるように構成しても良いし，手動で調整ができるように構成しておいてもよい。また，基準周波数等を選択的に調整可能である例を示したが，特にこの実施例に限定されるものではなく，これらのフィルタ手段をユニット化し，予め数種類の基準周波数や帯域幅等を有するフィルタ手段を作成しておいて，必要に応じで取替えができるように構成しておいてもよく，その実施の形態は実施例に限定されるものではない。
また，本発明の実施例では分岐路２５ｂに第２のフィルタ回路２４を介設するような構成を示したが，分岐手段２１が所定量以上の分岐量を有していれば，特に分岐路２５ｂに第２のフィルタ手段介設することなく合成できるので，第２のフィルタ手段２４がない構成でも良い。
また，分岐路２５ｂには，上述のように分岐路２５ｂを通過する信号を減衰させる信号減衰手段２３を備えることで，任意のレベル差を有した逆特性が簡単に得られるので，ＣＡＴＶシステムによって発生状態の異なるディップ特性に対して工事現場などでの対応が素早くできる極めて優れた操作性の高い信号処理手段２０Ｃが実現できる。この信号減哀手段２３は複数の減衰素子（減衰量が異なる固定ＡＴＴを数種類備える）をスイッチ等の操作手段で切替えることで段階的に減衰量を選択できるようにしても良いし，減衰素子としてのピンダイオード等を使って電気的な制御によって連続的に減衰量を可変できるように構成しても良い。尚，この第２の実施例においても信号増幅器１９と信号処理手段２０Ｃの配列は，図４に示すような組合せであっても良い。また，同一筐体に収納してもよいし，別体で備えさせるようにしてもよい。【００４６】  （第２の問題に対する実施例の３）
この第３の実施例の信号処理手段を構成する信号処理回路は，引込線に伝送される下り帯域信号の中から基準周波数を選択的に設定若しくは調整可能であると共に，その通過損失が略基準周波数において最小値となるように信号を通過し，下り帯域信号の略最小周波数において所定量の阻止帯域減衰量を有するように構成されたバンドパスフィルタ回路から構成されている。この場合においても，基準周波数は調整可能に構成されていなくても良く，この場合は，基準周波数の異なる複数のバンドパスフィルタを予め作成しておけばよい。更に，下り帯域信号の略最小周波数における阻止帯域減衰量が異なる複数のバンドパスフィルタを作成しておけば更に適応性の良い信号処理手段２０を提供できる。【００４７】  （第２の問題に対する実施例の４）
この実施例における第４の実施例の信号処理手段２０Ｅは，上記第１の実施例から第３の実施例に示される何れかの信号処理回路と並列に，下り帯域信号を通過させるだけの信号通過回路２００を設け，更には，下り帯域信号の通過する経路が，前記信号処理回路か前記信号通過回路２００を選択的に切換可能であるように構成された選択手段１８を備えた構成となっている。図８（ａ）にはこの実施例の信号処理手段２０Ｅと信号増幅器１９とを備えた信号処理装置１５の構成図が示されている。尚，信号増幅器１９と信号処理手段２０Ｅの配列は，図４に示すような組合せであっても良いし，別体で構成してもよい。
本発明の信号処理手段２０Ｅの具体的な実施例を図８（ｂ）に示す。この実施例の信号処理手段２０Ｅを構成する信号処理回路は，第２の実施例に示す分岐器で構成した信号処理回路２０３を用いている。また，２００で示される信号通過回路は，下り帯域信号に対して信号処理することなく最小限の通過損失で通過するよう構成された，例えば，プリント基板に備えられた導電材やジャンパー線等からなる高周波信号の通過回路である。選択手段１８は本発明の実施例では切換スイッチによって構成されており，この切換スイッチ１８の切換操作によって信号処理回路２０か信号通過回路２００のどちらかの信号経路を選択的に選べるのである。尚，切換スイッチ１８はマニュアルで切換えできるようにしても良いし，電気的に切換えできるようにしても良い。【００４８】  このように構成された第４の実施例によれば，システムの改修の際に，同軸ケーブルが原因でＣＡＴＶシステムにディップ（トラップ）が生じているような場合は，選択手段１８としての切換スイッチを信号処理回路２０１側にすることによって，下り帯域信号の信号に対して上述の所定の処理をされると共に，前記信号増幅器１９と合わせて，端末側に向かって適正レベルの信号が送出される。【００４９】  つまり，７７０ＭＨｚ帯に対応するためのグレードアップを行う際に，ＣＡＴＶシステムにディップ現象が表れていなくても，システムの設置年数等から鑑みて，何れの時点かにディップ現象の発生が予想される現場であれば，既設の，例えば４５０ＭＨｚ帯対応の棟内ブースターに変わって，この実施例に示される７７０ＭＨｚ帯まで対応する信号増幅器１９と信号処理手段２０Ｅを設置することによって，万が一にディップが発生しても，選択手段１８の簡単な切換操作で対応できる，極めて利便性の高いシステムを提供できるのである。特に，ＣＡＴＶシステムに発生するディップ現象が同軸ケーブルによるものである場合は，その発生周波数がＵＨＦ帯の低域側に略決まっていることから，信号処理回路は特に下り帯域信号の全般にわたって対応させるよう構成する必要がないので，その回路構成が簡単になることから，設計も簡単にできるし，延いては製品が安価にできる。【００５０】  以上，本発明によれば，例えば，今まで４５０ＭＨｚ帯までの帯域を使ったＣＡＴＶサービスに加入していたビルやマンション等の建物５に導入されている既存のＣＡＴＶシステムを，地上ディジタル放送の信号をそのまま伝送するためのパススルー方式等に対応した７７０ＭＨｚ帯を使ったサービスに対応させようとする場合に，たとえ，すでに敷設されている同軸ケーブルに伝送特性上の問題があっても，同軸ケーブルを張替えることなく，敷設された同軸ケーブルを使ったままで，７７０ＭＨｚ帯の伝送ができるように改修することができ，既設のＣＡＴＶシステムであっても７７０ＭＨｚ帯に対応するための改修工事を簡単且つ安価に実施することができるのである。
また，既設のＣＡＴＶシステムを地上ディジタル放送対応にすることによって，入居者は個別のアンテナを設けなくても地上ディジタル放送を見ることができるので，入居者にとって便利であると共に，ビルの管理者や所有者にとってはビルやマンションの価値を向上させることができるし，更には，ケーブルをビルの外壁に沿わせるように這わせたり，各部屋に同軸ケーブルを引込んだりしなくても良いので，ビルやマンションの美観を損なうことがなく，この点においてもビルやマンションの価値を損なうことがないＣＡＴＶシステム，ＣＡＴＶシステムの配線方法及びＣＡＴＶ機器を提供できるのである。
更には，その改修工事は，同軸ケーブルを張替えることなく，引込線側にある既存の４５０ＭＨｚ帯対応の棟内ブースターなどが設置されている収納ボックス等において，機器の入替え工事によっておこなわれるので，信号増幅器１９や信号処理手段２０を設置するスペースも新たに設ける必要がないし，商用電源のＡＣコンセントも新たに設ける必要もないので改修工事が比較的簡単にできるし，更に，加入者が長時間にわたってテレビの視聴を制限されるといった問題にも対応できる，優れた特徴を有するのである。【００５１】  尚，本発明は上記実施の形態に限定されるものではなく，以下に例示するように，本発明の趣旨を逸脱しない範囲で各部の構成を適宜に変更して実施することも可能である。
例えば図２に示されるＣＡＴＶシステムにおいて，信号増幅器１９と信号処理手段２０（以下の説明では，説明を簡略化するために信号増幅器１９と信号処理手段２０を備えた信号処理装置１５の例で示す。）より後方側に延設されている同軸ケーブル８が長かったり，分岐器９若しくは分配器によって複数の伝送経路を形成したために，それ以降の伝送損失が大きかったりするような場合は，図１１（ａ），（ｂ），（ｃ）に示されるように信号処理装置１５を第１の信号処理装置１５ａと第２の信号処理装置１５ｂとに分け，所定長の同軸ケーブル４８を介して配列した構成にしても良い。【００５２】  この実施例について図９に示す従来のＣＡＴＶシステムの異なる実施例を基に更に具体的に説明する。このシステムは例えばマンション等の各部屋の北側と南側にテレビ端子を備えるために複数の伝送経路に分配したシステムである。この例の場合，信号増幅器１４や分配器の設置場所によっては各部屋までの同軸ケーブルの引回しの線路長が大きく異なる場合が生じる。例えば部屋２−６に引回される伝送経路（同軸ケーブル４８，４８−１，分配器１３ａ，１３ｂ等からなる伝送経路）に比べて，部屋３−１に引回される伝送経路（同軸ケーブル４８，４８−２，分配器１３ａ，１３ｂ等からなる伝送経路）が長くなる。このような場合は，図１０に示されるように例えば端末までの伝送経路の線路長が短い経路と長い経路とを組分けするように分配し，更に長い経路のうちで，伝送損失が所定値より大きくなる経路に第２の信号処理装置１５ｂを備えさせることで対応ができるのである。つまり伝送損失が所定量より大きい伝送経路には，所定長の伝送経路４８を介して，その前方側には引込線に介設した第１の信号処理装置１５ａを備え，後方側には第２の信号処理装置１５ｂを備えることになるのである。従って，経路が短い線路は前記第２の信号処理装置１５ａが備えられることになる。
この場合，第１の信号処理装置１５ａを構成する信号処理手段２０ａ（請求項に記載の第１信号処理手段）は，前記所定長の伝送経路４８を前記第２の周波数帯の信号が通過することによって発生する信号レベル差を補償すると共に，第２の信号処理装置１５ｂを構成する信号増幅器１９ｂ（請求項に記載の第２信号増幅器）に過大入力が入力されるのを阻止するように構成し，
前記第２信号処理手段は，前記所定長の伝送経路４８より端末側の伝送経路を前記第２の周波数帯の信号が通過することによって発生する信号レベル差を補償するように構成すればよい。この実施例では，信号の増幅や周波数特性の補償をそれぞれに適宜に按分すればよいので，それぞれの回路構成が簡単になり設計が容易にできることからコストダウンにもなるし対応が素早くできる。【００５３】  具体的には，複数の系統の伝送経路のうち，伝送損失が所定値より大きい伝送経路があれば，該伝送経路の内における所定長の伝送経路４８を介して，所定長の伝送経路４８の前方側には第２の周波数帯の信号のなかで通過損失が最大減衰量を示す周波数における端末側の信号レベルと前記所定値レベルとの差の略１／２だけ信号を増幅する第１信号増幅器１９ａと該第１信号増幅器１９ａの出力側における所定位置に第１信号処理手段２０ａを介設し，所定長の伝送経路４８の後方側には第２の周波数帯の信号のなかで通過損失が最大減衰量を示す周波数における端末側の信号レベルと前記所定値レベルとの差の略１／２だけ信号を増幅する第２信号増幅器１９ｂと該第２信号増幅器１９ｂの出力側における所定位置に第２信号処理手段２０ｂを介設し，
前記複数の系統の伝送経路のうち，伝送損失が所定値より小さい伝送経路があれば，前記第１信号増幅器１９ａと前記第１信号処理手段２０ａを介設し，
前記第１信号処理手段２０ａは，前記所定長の伝送経路４８を前記第２の周波数帯の信号が通過することによって発生する信号レベル差を補償すると共に，前記第２信号増幅回路１９ｂに過大入力が入力されるのを阻止するように構成し，
前記第２信号処理手段２０ｂは，前記所定長の伝送経路４８より端末側の伝送経路を前記第２の周波数帯の信号が通過することによって発生する信号レベル差を補償するように構成すれば，信号増幅器１９が有する最大出力レベルを必要以上に高くしなくてもよくなり，信号増幅器１９の回路設計が容易となるばかりでなく発熱等の対策も簡単となリ，延いては信号増幅器１９のコストを安価にすることができる。更に，信号処理手段２０を信号増幅器の出力側に備えるように限定することによって，信号増幅器１９に入力される信号レベルを低下させることが無く，これによって信号増幅器よるＣ／Ｎ劣化が防止でき，後方に向かってＣ／Ｎのよい信号を送出することができる。【００５４】  また，図２に示されるＣＡＴＶシステムにおいて，図１２に示されるように分岐器９の分岐端子から先の伝送経路に信号処理装置１５を介設しても良い。この実施例は，分岐器９以降の同軸ケーブルが同軸ケーブル１０と同軸ケーブル１１のように異なることによって，伝送帯域の高域側における伝送損失が違ったり，ディップ現象が発生する周波数帯が違ったりする場合に対応できるようにしたものであり，図１２（ａ）では分岐器９のすぐ後に伝送経路ごとに最適化された上述の信号処理装置１５ｂおよび信号処理装置１５ｃを介設した例を示し，図１２（ｂ）ではテレビ等の端末側装置と直列ユニットとの間に介設した例を示す。これらの例によれば，伝送経路ごとに適切な対応ができるのでより安定したＣＡＴＶシステムが構成できるのである。この実施例の場合，分岐器９は図には示されていない前記収納ボックス等に収納されていたり，メンテナンスが容易な場所に設置されていたりする可能性が高いので，既設のシステムであっても信号処理装置の接続は建物等に邪魔されることないし，電源等の配線もする必要がないので問題なくできる。尚，分岐器９の前に示されている信号処理装置１５ａは伝送特性に応じて有っても良いし無くても良い。
また，上記のように信号処理装置を２つ以上設ける場合は，信号処理手段は上記実施例の何れか（若しくは，同軸ケーブルの伝送特性の逆特性を示すものなら実施例の構成でなくても良い。）によって構成されるのはもちろんであるけれども，ＣＡＴＶシステムによっては，任意の実施例を組み合わせて構成しても良い。
また，信号増幅器１９と信号処理手段２０を別体で構成して信号処理装置１５を構成してもよいし，１つの筐体に収納して信号処理装置としても良い。また，実施例に示される分配器等を信号増幅器１９と信号処理手段２０と一緒に１つの筐体に収納してＣＡＴＶ装置の一例としての信号処理装置を構成するようにしてよい。
更に，本発明はＣＡＴＶ網からタップオフを介して引き込まれた引込線に接続されるＣＡＴＶシステムに対応する例を示したが，例えばビル影や山影等による電波障害対策のために，ビルの屋上や山頂等の見通しの良い受信点にアンテナを設置し，該アンテナによって受信した信号を住宅などに引込線で引込んで受信するように構成された難視対策のための地上アナログ放送受信用のシステムを，地上ディジタル放送の受信に対応するように変更するような場合においても使用しても良いことは言うまでもない。
【図面の簡単な説明】
【００５５】
【図１】従来のＣＡＴＶシステムを示す概略構成図である。
【図２】本発明に係る信号増幅器と信号処理手段を備えたＣＡＴＶシステムの概略構成図である。
【図３】（ａ）は図１に示されるＣＡＴＶシステムにおけるＸ点とＹ点間の伝送損失を示す７０から７７０ＭＨｚまでの周波数特性であり，（ｂ）は第１の実施例として示される信号処理手段２０Ａの７０から７７０ＭＨｚまでの周波数特性である。
【図４】図４（ａ），（ｂ），（ｃ），（ｄ）は信号増幅器１９と信号処理装置２０の配列状態を示す概略構成図である。
【図５】（ａ）は図１に示されるＣＡＴＶシステムにおけるＸ点とＹ点間の伝送損失を示す７０から７７０ＭＨｚまでの周波数特性の異なる例であり，（ｂ）は第１の実施例の異なる例として示される信号処理手段２０Ｂにおける７０から７７０ＭＨｚまでの周波数特性であり，（ｃ）は第２の実施例として示される信号処理手段２０Ｃにおける７０から７７０ＭＨｚまでの周波数特性である。
【図６】（ａ）は第１の実施例として示される信号処理手段２０Ａの具体的な回路構成を示し，チルト量とチルトの基準となる基準周波数が固定のものであり，（ｂ）は第１の実施例の異なる例として示される信号処理手段２０Ｂの具体的な回路構成を示し，チルト量とチルトの基準となる基準周波数を調整可能に構成されたものである。
【図７】第２の実施例として示される信号処理手段２０Ｃの具体的な回路構成を示す。
【図８】第４の実施例として示される信号処理手段２０Ｅの回路構成を示し，（ａ）は概略構成図であり，（ｂ）は具体的な回路構成を示す。
【図９】従来のＣＡＴＶシステムの異なる例を示す概略構成図である。
【図１０】本発明に係る信号増幅器と信号処理手段を備えたＣＡＴＶシステムの異なる例を示す概略構成図である。
【図１１】信号増幅器と信号処理手段の組合せを２つ備えた場合の配列状態を示すＣＡＴＶシステムの一部を取出した図である。
【図１２】信号増幅器と信号処理手段の異なる位置に配設した例を示すＣＡＴＶシステムの一部を取出した図であリ，（ａ）は引込線の途中に配設した例であり，（ｂ）は直列ユニットとテレビ等の端末側装置との間に配設した例である。
【符号の説明】
【００５６】１…分岐線，２…タップオフ，３…引込線，４…引込線，５…建物，６…保安器，７・８・１０・１３…同軸ケーブル，９…分岐器，１１…中継用の直列ユニット，１２…端末用の直列ユニット，１３（１３ａ，１３Ｂｂ，１３ｃ）…分配器，１４…棟内ブースター（４５０ＭＨｚ対応），１５…信号処理装置，１６…入力端，１７…出力端，１８…選択手段，１９…信号増幅器，２０（２０Ａ，２０Ｂ，２０Ｃ，２０Ｅ）…信号処理手段，２０１・２０２・２０３…信号処理回路，２１…分岐手段（分岐器），２１ａ…入力端（出力端），２１ｂ…出力端（入力端），２１ｃ…分岐端，２２…第１のフィルタ手段，２３…信号減衰手段，２４…第２のフィルタ手段，２５ａ…主線路，２５ｂ…分岐路，２７・２８・２９・３０…抵抗，３１・３４…コンデンサー，３２・３３・３５…コイル，３４ａ…可変容量ダイオード，３６…ＰＩＮダイオード，３７ａ・３７ｂ…チョークコイル，３８…周波数制御信号ライン，３９…チルト量制御信号ライン，４８…所定長の伝送経路（同軸ケーブル）。
【図１】
2008219841.tif 000003
【図２】
2008219841.tif 000004
【図３】
2008219841.tif 000005
【図４】
2008219841.tif 000006
【図５】
2008219841.tif 000007
【図６】
2008219841.tif 000008
【図７】
2008219841.tif 000009
【図８】
2008219841.tif 000010
【図９】
2008219841.tif 000011
【図１０】
2008219841.tif 000012
【図１１】
2008219841.tif 000013
【図１２】
2008219841.tif 000014